(57)【特許請求の範囲】
【請求項１】
運転操縦部を備えた走行機体の後部に、モーアから排出される刈草をダクトを介して集草する集草容器を装備してある草刈機であって、
前記集草容器の前壁に、ダクトを接続する接続口を開口するとともに、前記接続口を挟んで両側に集草容器内に導入された刈草搬送空気を排出する空気抜き部を形成し、前記各空気抜き部を前記走行機体に備えた左右後輪の後方に配設するとともに、
各空気抜き部毎にその空気抜き部を前側から覆うように、かつその下方のみに下向き開口部を備えたダストカバー備え、このダストカバーを、左右の後輪に対向してその後輪の左右外側端よりも内方側に位置する状態で配設してある草刈機。
【請求項２】
集草容器を、刈草を収納する容器本体とその容器本体の前面を覆う前壁とで構成するとともに、前記前壁に対して前記容器本体を刈草排出姿勢に切り換え可能に構成し、前記容器本体における前記前壁に向かう前面を刈草放出口に形成してある請求項１記載の草刈機。
【請求項３】
集草容器を形成する壁面に、集草容器内に導入された刈草搬送空気を排出する空気流通孔を形成するとともに、前記集草容器を覆い、前記空気流通孔から排出される搬送空気を地上に向けて誘導する下向き開口部を有しているダストシートを設けてある請求項１記載の草刈機。
【発明の詳細な説明】
【０００１】
【発明の属する技術分野】
本発明は、機体の後部に、モーアから排出される刈草をダクトを介して集草する集草容器を装備してある草刈機に関する。
【０００２】
【従来の技術】
刈草の堆積量が多くなるに連れて集草容器内の奥側（後端側）から堆積していく刈草の堆積傾向を考慮して、刈草を集草容器内に搬送しその集草容器内に導入された刈草搬送空気を、堆積が進んでくると前記走行機体の存在側に排出するように、集草容器の前壁に空気抜き部を形成している。
【０００３】
【発明が解決しようとする課題】
前壁に設けた空気抜き部より排出された搬送空気が、集草容器の前方に浮遊する塵埃や刈草等を舞い上げて、運転操縦者に吹きかけ作用するので、操縦環境が悪化し、操縦操作に影響を与えていた。
【０００４】
本発明の目的は、集草容器から排出される搬送空気による操縦環境の悪化を抑えるとともに、後輪作動による泥はねが前壁に形成した空気抜き部からの搬送空気排出性能に与える影響を少なくできる草刈機を提供する点にある。
【０００５】
【課題を解決するための手段】
〔構成〕
請求項１にかかる発明の特徴構成は、運転操縦部を備えた走行機体の後部に、モーアから排出される刈草をダクトを介して集草する集草容器を装備してある草刈機において、
前記集草容器の前壁に、ダクトを接続する接続口を開口するとともに、前記接続口を挟んで両側に集草容器内に導入された刈草搬送空気を排出する空気抜き部を形成し、前記各空気抜き部を前記走行機体に備えた左右後輪の後方に配設するとともに、
各空気抜き部毎にその空気抜き部を前側から覆うように、かつその下方のみに下向き開口部を備えたダストカバー備え、このダストカバーを、左右の後輪に対向してその後輪の左右外側端よりも内方側に位置する状態で配設してある点にあり、その作用効果は次の通りである。
【０００６】
〔作用効果〕
空気抜き部を後輪の後方に配置することによって、空気抜き部より排出される搬送空気は後輪に向かって排出される。空気抜き部より出たところで、搬送空気はダストカバーによって進行方向が下向きに切り換えられて地上に向けて放出される。
地上に向けて放出されるので、直接操縦者に向けて放出されることがなく、塵埃の舞い上げ等が抑えられ、運転者の操縦環境の悪化を抑えることができる。  ダストカバーは、後輪側から空気抜き部を覆っているので、後輪が跳ね上げる泥土等が空気抜き部に付着することを抑制することができ、空気抜き部からの搬送空気の排出性能を低下させることがない。
【０００８】
前壁に設ける空気抜き部は、ダクト接続口を挟んで左右に位置するので、走行機体の左右幅方向の端側に配置されていることになり、搬送空気を端側に排出することになり、左右幅方向の中央位置への影響を少なくできる。
【０００９】
〔構成〕
請求項２に係る発明の特徴構成は、請求項１にかかる発明の構成において、集草容器を、刈草を収納する容器本体とその容器本体の前面を覆う前壁とで構成するとともに、前記前壁に対して前記容器本体を刈草排出姿勢に切り換え可能に構成し、前記容器本体における前記前壁に向かう前面を刈草放出口に形成してある点にあり、その作用効果は次の通りである。
【００１０】
〔作用効果〕
請求項1 にかかる発明の奏する作用効果に加えて、ダクトとの接続を考慮する必要のある前壁は刈草を排出する際にも姿勢を変化させる必要はない。
運転者に向かって搬送空気を排出することになるところから設置位置に工夫を凝らす必要のある空気抜き部については前壁に設けてあるので、容器本体における前記前壁に向かう前面においては、特に配置に工夫を凝らす必要はなく、空気抜き部に通じるものであれば十分な開口を形成するだけでよい。
したがって、集草容器に溜まった刈草を効率よく迅速に排出する点から開口面積を設定することができる。
【００１１】
〔構成〕
本発明のうちの請求項３記載の発明では、前記集草容器を形成する壁面に、集草容器内に導入された刈草搬送空気を排出する空気流通孔を形成するとともに、前記集草容器を覆い、前記空気流通孔から排出される搬送空気を地上に向けて誘導する下向き開口部を有しているダストシートを設けてある点にあり、その作用効果は次の通りである。
【００１２】
〔作用効果〕
集草容器の壁面に空気流通孔を形成しているので、迅速に搬送空気を集草容器より排出できて、後から搬送されてくる刈草の集積度を高めることができるとともに、集草容器より排出された搬送空気はダストシートの下向き開口部より地上に向けて放出されるので、空気流通孔より放出される搬送空気が浮遊塵埃等を舞い上げることを抑制でき、運転操縦者への影響を抑えて操縦環境を良好にできる。
【００１３】
【発明の実施の形態】
図１には草刈機の全体側面が示されており、この草刈機は、運転操縦部ａ、及び、左右一対の前輪１と後輪２とを備えた走行機体Ａの下腹部に、昇降リンク機構３を介してモーアＢを昇降可能に吊り下げ装備するとともに、走行機体Ａの後部に、モーアＢから排出される刈草をダクト４を介して集草する集草容器Ｃを連結装備することによって構成されている。
【００１４】
図１〜３に示すように、走行機体Ａは、その前部に搭載されたエンジン５、機体後部に配備された静油圧式無段変速装置６、静油圧式無段変速装置６の後部に連設されたギヤ式変速装置７、及び、ギヤ式変速装置７の左右に配設された減速装置８、などによって構成されており、エンジン５からの走行用の動力が、伝動軸９を介して静油圧式無段変速装置６に伝達されるとともに静油圧式無段変速装置６にて変速され、その変速後の動力がギヤ式変速装置７にて減速され、その減速後の動力が、ギヤ式変速装置７の後端下部に配備された差動機構７Ａから左右の差動軸１０を介して左右の減速装置８に伝達され、左右の減速装置８にて更に減速された動力が、左右の車軸１１を介して左右の後輪２に伝達されるようになっている。
【００１５】
図１及び図２に示すように、モーアＢは、左右方向に並設される３枚のブレード１２、それらのブレード１２を縦軸芯Ｐ１周りに回転可能に支持するハウジング１３、及び、ハウジング１３の上部に配備されたベルト式伝動機構１４、などによって構成されており、エンジン５からの作業用の動力が、ベルトテンション式の作業クラッチ１５及び伝動軸１６を介してベルト式伝動機構１４に伝達され、ベルト式伝動機構１４から各ブレード１２に伝達されるようになっている。
【００１６】
図２及び図４に示すように、モーアＢのハウジング１３には、各ブレード１２からの刈草を、隣接する所定のブレード１２の一例である中央のブレード１２と右側のブレード１２との縦軸芯Ｐ１間に向けて案内する搬送案内経路Ｒ１と、その縦軸芯Ｐ１間から後上方向に向けて刈草を案内する後ろ上がり傾斜姿勢の排出案内経路Ｒ２とが備えられている。つまり、モーアＢは、各ブレード１２で切断された刈草を、その後方に向けて放出するリアディスチャージ型に構成されている。
【００１７】
図２に示すように、モーアＢのベルト式伝動機構１４には、伝動軸１６に中央のブレード１２の支軸１２ａを伝動連結する入力部１４Ａ、中央のブレード１２と右側のブレード１２とを排出案内経路Ｒ２ではそれぞれが前方から後方に向かうように互いに逆向きに回転させる逆転伝動経路部１４Ｂ、及び、中央のブレード１２と左側のブレード１２とを同方向に回転させる正転伝動経路部１４Ｃが設けられている。この構成から、各ブレード１２で切断された刈草は、各ブレード１２の回転に伴って発生する起風作用により、搬送案内経路Ｒ１を通って排出案内経路Ｒ２に導かれ、排出案内経路Ｒ２に接続されたダクト４を介して集草容器Ｃに集草されるようになっている。尚、モーアＢとダクト４の接続は、ダクト４を、モーアＢの昇降を許容する状態で排出案内経路Ｒ２に外嵌することで行われている。
【００１８】
図１及び図５に示すように、集草容器Ｃは、連結装置Ｄを介して走行機体Ａの後部に着脱自在に連結された前壁としての連結部２０と容器本体とからなり、連結部２０に対して、姿勢切換機構Ｅの作動により、容器本体の前上部に設定された横向きの支点Ｐ２周りで上下揺動操作されることによって、その姿勢を、その前面に形成された開口Ｃａをダクト４に連通させる前向きの作業姿勢と、集草した刈草を開口Ｃａから排出する下向きの排出姿勢とに切り換えられるように構成されている。
【００１９】
図１〜３に示すように、走行機体Ａにおいて、左側の減速装置８は、その右側面上部が左側の機体フレーム１８に連結されるとともに、その右側面下部にギヤ式変速装置７が直結されている。右側の減速装置８は、その左側面上部が右側の機体フレーム１８に連結されるとともに、その左側面下部に、右側の差動軸１０を外囲する後車軸ケース１９を介してギヤ式変速装置７が連結されている。この構成から、静油圧式無段変速装置６とギヤ式変速装置７とが走行機体Ａの左側に偏位した状態で配備されるようになり、ギヤ式変速装置７と右側の減速装置８と後車軸ケース１９との間に、ダクト４を通すための大きい空間が形成されるようになっている。
【００２０】
図１〜６に示すように、ダクト４は、下部が開放された断面視コの字状のダクト本体４Ａと、その下部を閉塞する底壁４Ｂとから、後車軸ケース１９の上方を通過するように構成されている。ダクト本体４Ａは、その後端が、走行機体Ａの後端に立設装備された、集草容器Ｃの前壁を形成する連結部２０の縦壁２０Ａにボルト連結されるとともに、その前後中間部が後車軸ケース１９に受け止め支持されている。底壁４Ｂは、その後部が、連結部２０の左右のブラケット２０Ｃに横軸芯Ｐ３周りに回動可能に支持された回動軸２１に固着され、かつ、その前部が後車軸ケース１９に受け止め支持されるとともに、その回動軸２１から前端までの長さが、ダクト本体４Ａにおける回動軸２１から前端までの長さよりも短い長さに設定されている。そして、この長さ設定によって、底壁４Ｂにおける後車軸ケース１９の前方箇所となるダクト４の前底部には開口Ｈが形成されるようになっている。又、底壁４Ｂは、その後車軸ケース１９の後方箇所に、下方に向けて膨出する膨出部４ａが形成されている。一方、回動軸２１は、その左側端部が、連結部２０の左側のブラケット２０Ｃに上下摺動可能に支持された上向きの操作レバー２２に、揺動アーム２３を介して連係されており、操作レバー２２の上下摺動操作に伴って横軸芯Ｐ３周りに回動するようになっている。
【００２１】
この構成から、ダクト４の装着は、走行機体Ａの後部において、ダクト本体４Ａを連結部２０の縦壁２０Ａにボルト連結するだけで簡単に行えるようになっている。図４に示すように、集草容器Ｃまで搬送されない重い刈草や集草容器Ｃから溢れ出した刈草をダクト４の膨出部４ａにて集草することができ、その結果、ダクト４内の搬送経路が刈草にて塞がれることを防止できるとともに草刈り作業時間を長くすることができるようになり、もって、作業効率の向上を効果的に図れるようになっている。
そして、ダクト４の膨出部４ａからも刈草が溢れるようになると、その溢れた刈草がダクト４の開口Ｈから既刈り地に零れ落ちるようになることから、満杯検出センサなどを装備しなくても、その零れ落ちた刈草の目視確認で、集草容器Ｃから刈草を排出する刈草排出作業のタイミングを容易に知ることができ、もって、その刈草排出作業を効率良く行えるようになっている。
しかも、図４及び図６に示すように、操作レバー２２を押し下げて回動軸２１を横軸芯Ｐ３周りに回動させることで、底壁４Ｂを、その前部が後車軸ケース１９に載置された通常の刈草案内姿勢から、その前部が後車軸ケース１９から後上方向に大きく離間する刈草排出姿勢に横軸芯Ｐ３周りに上昇揺動させることができる。
これによって、底壁４Ｂの膨出部４ａに堆積した刈草をダクト４後部の排出口４ｂから容易に排出することができるようになり、更に、操作レバー２２を上下方向に迅速に摺動操作して回動軸２１を横軸芯Ｐ３周りに正逆回動させることで、底壁４Ｂを横軸芯Ｐ３周りに素早く上下揺動させることができ、これによって、ダクト４の底壁４Ｂに付着した濡れた刈草などの除去を容易に行えるようになっている。
ちなみに、底壁４Ｂは、その自重で刈草案内姿勢に保持されるようになっている。
【００２２】
図１、図５、及び図１１に示すように、集草容器Ｃの容器本体は、板状の枠フレーム２４、底面を形成する孔無しの薄鋼板２５、及び、上面と左右両側面と背面とを形成するパンチングメタル式の多孔薄鋼板２６とからなり、その前面全域が刈草給排用の開口Ｃａとして開放されるように構成されている。尚、走行機体Ａの後部に装備されている連結部２０の縦壁２０Ａは、前にも記載したように、走行機体Ａに属するものであるが、前記した開口Ｃａを閉塞する前壁として集草容器Ｃの一部を構成する。
枠フレーム２４は、板部材又はアングル部材を縦横に配置して矩形にくみ上げたもので、両側面等に多孔薄鋼板２６等を組付ける為のボルト孔を設けてある。したがって、枠フレーム２４の外面に対して多孔薄鋼板２６をボルト止固定し、多孔薄鋼板２６に形成してある多数の空気流通孔２６ａより集草容器Ｃに搬送してきた搬送空気を排出するように構成する。
【００２３】
図１１に示すように、多孔薄鋼板２６を施した枠フレーム２４に対しては排風が塵埃とともに飛散することを防止するダストシート５１を被せるようにしてある。つまり、ダストシート５１は非通気性のシートからなり、枠フレーム２４に対応して矩形状に構成されるものであり、両側面、天上面、後面の四面部５１Ａ、５１Ａ、５１Ｂ、５１Ｃを備えており、前面と底面は開放されており、枠フレーム２４内より排出される搬送空気は、ダストシート５１の底面に相当する開口部より排出される。ダストシート５１の左右両側面部５１Ａ、５１Ａにおける前端の内側には丸パイプ５１ａ，５１ａが設けてあり、丸パイプ５１ａ、５１ａの上端にはブラケット５１ｂ、５１ｂが取付けられ、このブラケット５１ｂと対応する位置の枠フレーム２４にボルト固定することによって、ダストシート５１を枠フレーム２４に取り付け固定できるようになっている。
【００２４】
図１１に示すように、両側面部５１Ａ、５１Ａと後面部５１Ｃとは面ファスナー５１Ｄによって連結解除可能に構成してあり、面ファスナー５１Ｄで側面部５１Ａと後面部５１Ｃとを連結すると、矩形状に成形できる。したがって、枠フレーム２４に被せる際には、面ファスナー５１Ｄで連結しない展開状態に広げた状態で枠フレーム２４に被せ、被せた後に面ファスナー５１Ｄで連結する。ダストシート５１の天上面部５１Ｂには左右一対の抜き孔５１ｃ、５１ｃが穿設してあり、枠フレーム２４に天上カバー４８を取付ける為の支持具４９、４９が挿通するように構成してある。
【００２５】
図４〜９に示すように、連結部２０における縦壁２０Ａの上端には、集草容器Ｃの全幅に亘る長さの支点パイプ２７が支点Ｐ２周りに回動可能に支持されており、この支点パイプ２７の左右両端には揺動アーム２８が後向きに延出する状態で固着され、支点パイプ２７の中間部には第１連係アーム２９が前向きに延出する状態で固着されている。
図６及び図７に示すように、連結部２０の下端には、集草容器Ｃの全幅に亘る長さの支軸３０が横軸芯Ｐ４周りに回動可能に支持されており、この支軸３０の左右両端にはフック金具３１が後向きに延出する状態で固着され、支軸３０の中間部には第２連係アーム３２が前向きに延出する状態で固着されている。
【００２６】
図７に示すように、連結部２０の左側のブラケット２０Ｃには、天秤アーム３３が横軸芯Ｐ５周りに揺動可能に支持されており、この天秤アーム３３の前端から第１連係アーム２９に亘って複動型の油圧シリンダ３４が架設されるとともに、天秤アーム３３の後端から第２連係アーム３２に亘って連係リンク３５が架設されている。この構成から、油圧シリンダ３４の作動に連動して、揺動アーム２８が支点Ｐ２周りに揺動するとともに、フック金具３１が横軸芯Ｐ４周りに揺動するようになっている。
尚、天秤アーム３３は、油圧シリンダ３４のシリンダチューブ３４Ａに接当可能な接当部３３ａを有するコの字状に屈折形成されている。連結部２０の下端には、集草容器Ｃの開口下縁を形成する下縁パイプ材２４Ｂが載置される受具２０Ｂが装備されている。
【００２７】
一方、図８及び図９に示すように、集草容器Ｃの枠フレーム２４における左右の各前上部には、支点パイプ２７の左右の両端開口２７ａに対して抜き差し可能な連結ピン３６と、枠フレーム２４の左右両側部から横内方に向けて突出する係合ピン３７とが備えられ、枠フレーム２４における左右の各前下部には、枠フレーム２４の左右両側部から横外方に向けて突出し前記フック金具３１が係合するロック用係合ピン３８が備えられている。
【００２８】
この構成から、走行機体Ａの後部に連結されている集草容器Ｃの各連結ピン３６を、連結部２０側の支点パイプ２７の左右両端開口２７ａから抜き出すと、連結部２０と集草容器Ｃの上部同士の連結を解除することができる。集草容器Ｃを、その前下部の下縁パイプ材２４Ｂを支点Ｐ６にして下降揺動させることができ、それによって接地する集草容器Ｃの容器本体における左右の後下コーナー部２４Ａを支点にして容器本体を上昇揺動あるいは後方に向けて摺動させて、下縁パイプ材２４Ｂを連結部２０の受具２０Ｂから離間させることで、容器本体を走行機体Ａの連結部２０から完全に切り離すことができる。
【００２９】
逆に、走行機体Ａの後部から切り離されている集草容器Ｃを、左右の後下コーナー部２４Ａを支点にして下降揺動あるいは前方に向けて摺動させることで、その下縁パイプ材２４Ｂを連結部２０の受具２０Ｂに載置することができ、その下縁パイプ材２４Ｂを支点Ｐ６にして容器本体を上昇揺動させて、その開口Ｃａを連結部２０の縦壁２０Ａにて閉塞するとともにダクト４に接続し、その状態で容器本体の各連結ピン３６を支点パイプ２７の左右両端開口２７ａに挿通することで、容器本体を走行機体Ａの後部に連結できるようになっている。
【００３０】
図５及び図７〜１０に示すように、各連結ピン３６は、それらに外嵌するバネ３９の付勢によって支点パイプ２７の左右両端開口２７ａに対する挿通状態が維持されるようになっている。各連結ピン３６には、その抜き差し方向と直交する方向に向けて延出する係止ピン３６ａが備えられており、バネ３９の付勢に抗して支点パイプ２７の左右両端開口２７ａから抜き出した状態で、各係止ピン３６ａを、枠フレーム２４の左右に形成された前部開放形状の凹部２４ａに前方側から係合させることで、各連結ピン３６を支点パイプ２７の左右両端開口２７ａから抜き出した状態に維持できるようになっている。
各連結ピン３６には、係止ピン３６ａとは反対向きに延出する操作アーム３６ｂが備えられており、各操作アーム３６ｂは、走行機体Ａの後部に集草容器Ｃを連結する際の下縁パイプ材２４Ｂを支点Ｐ６にした集草容器Ｃの上昇揺動操作に伴って、連結部２０の上部左右から後方に向けて延設された押圧具４０にて後方側に押圧操作されるようになっている。
【００３１】
この構成から、走行機体Ａの後部に集草容器Ｃを連結する際には、下縁パイプ材２４Ｂを支点Ｐ６にした集草容器Ｃの上昇揺動操作に伴って、連結部２０側の各押圧具４０が各連結ピン３６の操作アーム３６ｂを後方側に押圧操作することによって、枠フレーム２４の凹部２４ａと各連結ピン３６の係止ピン３６ａとの係合が解除され、バネ３９の付勢により、各連結ピン３６が自動的に支点パイプ２７の左右両端開口２７ａに挿通するようになっている。
【００３２】
図８に示すように、枠フレーム２４の左右の凹部２４ａ、支点パイプ２７、左右の連結ピン３６、左右のバネ３９、及び、左右の押圧具４０によって、集草容器Ｃの容器本体を走行機体Ａ側の連結部２０に連結する際の上昇揺動操作に連動して集草容器Ｃを走行機体Ａに連結固定するロック機構Ｄａが構成される。このロック機構Ｄａ、連結部２０の受具２０Ｂ、及び、集草容器Ｃの下縁パイプ材２４Ｂによって、集草容器Ｃの容器本体をその前下部を支点Ｐ６とした上下揺動操作で走行機体側Ａの連結部２０に着脱自在に連結する連結装置Ｄが構成されている。
【００３３】
前述のように、集草容器Ｃを走行機体Ａに連結した状態では、集草容器Ｃは、その開口Ｃａが連結部２０の縦壁２０Ａにて閉塞されるとともにダクト４に接続される集草姿勢となっており、この姿勢では、図１、図４及び図１２に示すように、連結部２０側の各揺動アーム２８が、集草容器Ｃの各係合ピン３７に対して集草容器Ｃの自重に抗する方向から係合し、連結部２０側の各フック金具３１が、集草容器Ｃの各ロック用係合ピン３８に対して上方から係合するようになっている。
【００３４】
そして、この集草姿勢で油圧シリンダ３４を短縮作動させると、図１３及び図１４に示すように、先ず、集草容器Ｃの重量を受けて油圧シリンダ３４のピストンシリンダ３４Ｂの下降が阻止されることで、各フック金具３１に連係された油圧シリンダ３４のシリンダチューブ３４Ａが上昇し、これによって、各フック金具３１が上昇揺動して各ロック用係合ピン３８との係合を解除する（図１３参照）。
【００３５】
そして、天秤アーム３３の接当部３３ａとの接当でシリンダチューブ３４Ａの上昇が阻止されると、集草容器Ｃの重量に抗して油圧シリンダ３４のピストンロッド３４Ｂが下降し、ピストンロッド３４Ｂに連係された各揺動アーム２８が上昇揺動して各係合ピン３７を押し上げることで、集草容器Ｃが排出姿勢に切り換えられるようになる（図１４参照）。このとき、各揺動アーム２８が受ける集草容器Ｃの重量で油圧シリンダ３４が引き上げ保持されることで、各フック金具３１は、各ロック用係合ピン３８との係合を解除した姿勢に維持されるようになる。
【００３６】
一方、この排出姿勢で油圧シリンダ３４を伸長作動させると、図１２及び図１３に示すように、先ず、各揺動アーム２８が受ける集草容器Ｃの重量で油圧シリンダ３４が引き上げ保持されて各フック金具３１が各ロック用係合ピン３８との係合解除姿勢に維持されることでピストンロッド３４Ｂが上昇し、ピストンロッド３４Ｂに連係された各揺動アーム２８が下降揺動して各係合ピン３７を下降させ、その下降で集草容器Ｃが集草姿勢に切り換えられて集草容器Ｃの下縁パイプ材２４Ｂが連結部２０の受具２０Ｂに載置されるようになる（図１３参照）。
【００３７】
下縁パイプ材２４Ｂが受具２０Ｂに載置されると、集草容器Ｃの重量による油圧シリンダ３４の引き上げが解除されるとともに、油圧シリンダ３４の重量を受けて各揺動アーム２８が各係合ピン３７に下方から接当する状態に維持されるようになり、これによって、ピストンロッド３４Ｂの上昇が阻止されるとともにシリンダチューブ３４Ａが下降するようになり、もって、シリンダチューブ３４Ａに連係された各フック金具３１が各ロック用係合ピン３８に上方から係合するようになって、集草容器Ｃが集草姿勢で固定保持されるようになる（図１２参照）。
【００３８】
つまり、支点パイプ２７、左右の揺動アーム２８、第１連係アーム２９、支軸３０、左右のフック金具３１、第２連係アーム３２、天秤アーム３３、油圧シリンダ３４、連係リンク３５、左右の連結ピン３６、左右の係合ピン３７、及び、左右のロック用係合ピン３８によって、集草容器Ｃの姿勢を、その前上部の連結ピン３６を支点Ｐ２にして前向きの作業姿勢と下向きの排出姿勢とに切り換える姿勢切換機構Ｅが構成されている。
【００３９】
以上の構成から、姿勢切換機構Ｅは、集草容器Ｃの容器本体の集草姿勢においては、各フック金具３１を各ロック用係合ピン３８に上方から係合させることによって、集草容器Ｃの容器本体の開口Ｃａを連結部２０の縦壁２０Ａにて閉塞した状態で固定保持するようになっており、もって、草刈り作業時における集草容器Ｃの開口Ｃａからの刈草の零れ落ちを防止できるようになっている。
しかも、姿勢切換機構Ｅは、集草容器Ｃの容器本体の姿勢切り換え操作と集草姿勢での固定保持操作とを単一の油圧シリンダ３４の作動で行うものであることから、集草容器Ｃの容器本体の姿勢切り換え操作のみを行う機構と、集草容器Ｃの集草姿勢での固定保持操作のみを行う機構とを設ける場合に比較して、構成の簡素化、製造コストの低減化、及び、機体の軽量化を図れるとともに、集草容器Ｃの容器本体の姿勢切り換えと集草姿勢での固定保持・固定解除の一連の操作を誤作動なく好適に行えるようになっている。
【００４０】
そして、上述したように、姿勢切換機構Ｅは、集草容器Ｃの各係合ピン３７に対して各揺動アーム２８が集草容器Ｃの自重に抗する方向から係合することによって、集草容器Ｃの容器本体を排出姿勢から集草姿勢に切り換える際に、集草容器Ｃの容器本体が岩や植木などの他物に接当する不都合が生じた場合には、集草容器Ｃの容器本体が各係合ピン３７から各揺動アーム２８が離間するようになることから、他物との接当に起因した破損を防止できるようになっている。
【００４１】
ところで、図７〜９に示すように、各揺動アーム２８は、その横外側面が集草容器Ｃの枠フレーム２４に内接するようになっており、これによって、走行機体Ａの後部に集草容器Ｃを連結した状態での集草容器Ｃの横ズレを防止できるようになっている。各揺動アーム２８は、その遊端部２８ａが集草容器Ｃの左右中央に向かうように屈折形成されており、これによって、集草容器Ｃを、その前下部を支点Ｐ６とした上昇揺動操作で走行機体Ａの後部に連結する際には、各揺動アーム２８の遊端側による案内作用によって、走行機体Ａに対する集草容器Ｃの横ズレを修正できるようになり、もって、走行機体Ａに対する集草容器Ｃの連結を容易かつ円滑に行えるようになっている。
【００４２】
図１２及び図１４に示すように、作業クラッチレバー４４は、集草容器Ｃの排出姿勢への切り換え操作に連動してクラッチ切り位置に切り換え保持されるように、姿勢切換機構Ｅにおける右側の揺動アーム２８と連係手段４７である連係ワイヤを介して連係されており、これによって、集草容器Ｃを排出姿勢に切り換えた状態でモーアＢを作動させることによる刈草の飛散を防止できるようになっている。
【００４３】
図１、図５、図１１及び図１５に示すように、ダストシート５１の天上面部５１Ｂの上方には更に天上カバー４８を設けてあり、天上カバー４８には、枠フレーム２４の前上部において横外方向きに突設された左右の支軸２４Ｃに対して後方から係合する凹部４８ａが形成された左右のブラケット４８Ａと、後記する支持具４９挿通用の孔（図示せず）が備えられている。枠フレーム２４における左右の後上部には、支持具４９が装備されており、支持具４９の各端部にはカバー４８に挿通されるボルト４９Ａが立設され、カバー４８に挿通されたボルト４９Ａにはノブ付きナット５０が螺着されるようになっている。
【００４４】
図６及び図１７に示すように、集草容器Ｃの前壁としての機能を担う、連結部２０の縦壁２０Ａには、その中央部に形成されるダクト４接続用の接続口２０ａの左右にパンチングメタルからなる空気抜き部２０ｂが備えられている。これによって、集草容器Ｃ内での刈芝の集草度があがってくると、搬送風がそれらの空気抜き部２０ｂからも抜けるようになって、搬送風による集草搬送の促進を図れるようになることから、より効率の良い集草を行えるようになっている。空気抜き部２０ｂのモーアＢに向かう前面側に空気抜き部２０ｂより噴出してくる搬送風を地面に誘導するダストカバー５２を設け、搬送風とともに噴出する塵埃が舞い上がり拡散して、運転環境が悪化することを抑えることができるのである。
【００４５】
以上説明した集草容器Ｃの構成を纏めると、図１１に示すように、基本的な骨組みは、枠フレーム２４の外側面に孔無し薄鋼板からなる底板２５、多孔薄鋼板２６を天上板、背面板、両側面板としてビス止め固定して容器本体を構成し、走行機体Ａの後端に固定した連結部２０を前壁として設ける。容器本体に対してはダストシート５１を被せるとともに、ダストシート５１の前端部のブラケット５１ｂを枠フレーム２４にビス止めすることによって、ダストシート５１を取り付け固定する。そのダストシート５１の上から天上カバー４８を取り付けてノブ付きナット５０で固定する。前壁にはダストシート５１は掛かってなく、前壁に設けた空気抜き部２０ｂには、走行機体側からダストカバー５２を設けて、搬送空気を下向きに排出するとともに、後輪２からの跳ね上げ泥土が空気抜き部２０ｂに付着するのを阻止している。
【００４６】
〔別実施形態〕
以下、本発明の別実施形態を列記する。
［１］  草刈機としては、フロントモーア形式に構成されたものであってもよい。
［２］  モーアＢとしては、サイドディスチャージ型のものであってもよい。
［３］  ダストシート５１及び天上カバー４８については、特に設けなくてもよい。
【図面の簡単な説明】
【図１】草刈機の全体側面図
【図２】伝動構成を示す草刈機の概略平面図
【図３】走行伝動系の配置を示す走行機体の背面図
【図４】モーアの排出案内経路部での縦断側面図
【図５】集草容器の構成を示す縦断側面図
【図６】ダクト及び連結装置の構成を示す要部の横断平面図
【図７】連結装置及び姿勢切換機構の構成を示す要部の平面図
【図８】ロック機構による走行機体と集草容器との連結固定状態を示す要部の平面図
【図９】ロック機構による走行機体と集草容器との連結解除状態を示す要部の平面図
【図１０】ロック機構のロック作動状態を示す要部の側面図
【図１１】集草容器の分解構成図
【図１２】作業クラッチレバーの操作位置と集草容器の着脱との関連を示す概略図
【図１３】姿勢切換機構で集草容器を集草姿勢に切り換えた状態を示す要部の側面図
【図１４】姿勢切換機構で集草容器を排出姿勢に切り換えた状態を示す要部の側面図
【図１５】天上カバーの取付状態を示す縦断背面図
【図１６】天上カバーの取付状態を示す縦断背面図
【図１７】前壁を示す背面図
【符号の説明】
Ａ      走行機体
Ｂ      モーア
Ｃ      集草容器
Ｃａ    刈草放出口
４      ダクト
２６ａ  空気流通孔
５１    ダストシート
５２    ダストカバー
【図１】
0003662199.tif 000002
【図２】
0003662199.tif 000003
【図３】
0003662199.tif 000004
【図４】
0003662199.tif 000005
【図５】
0003662199.tif 000006
【図６】
0003662199.tif 000007
【図７】
0003662199.tif 000008
【図８】
0003662199.tif 000009
【図９】
0003662199.tif 000010
【図１０】
0003662199.tif 000011
【図１１】
0003662199.tif 000012
【図１２】
0003662199.tif 000013
【図１３】
0003662199.tif 000014
【図１４】
0003662199.tif 000015
【図１５】
0003662199.tif 000016
【図１６】
0003662199.tif 000017
【図１７】
0003662199.tif 000018